(57)【要約】 【課題】本発明は、連棟用ビニールハウスに使用する枠体に関する発明である。【解決手段】本発明は、上部が二股に分かれたて左右アームを形成した支柱と、前記左右アーム間の谷間に取り付けた連結アームとからなることを特徴としたＹ字型枠体及び上部が屈曲した左右支柱と、前記Ｙ字型枠体の左右アームに左右支柱を連結する湾曲パイプと、前記Ｙ字型枠体同士を連結する連結パイプとからなることを特徴とする連棟用ビニールハウス枠体の構成とした。【選択図】  図１
2007060941.tif 000002
【特許請求の範囲】
【請求項１】
上部が二股に分かれた左右アームを形成した支柱と、前記左右アーム間の谷間に取り付けた連結アームとからなることを特徴としたＹ字型枠体。
【請求項２】
上部が屈曲した左右支柱と、請求項１に記載のＹ字型枠体の左右アームに左右支柱を連結する湾曲パイプと、前記Ｙ字型枠体同士を連結する連結パイプとからなることを特徴とする連棟用ビニールハウス枠体。
【発明の詳細な説明】
【技術分野】
【０００１】
本発明は、連棟用ビニールハウスに使用する枠体に関する発明である。
【背景技術】
【０００２】
従来、ビニールハウスを連棟とするには複数のビニールハウスを並べ隣り合ったビニールハウスの屋根の間に雨樋を設置する方法がとられていた。
【０００３】
しかしながら、従来のビニールハウスの連棟方式では、ビニールハウス同士の間に設置された雨樋では豪雨や長時間の雨に対応することができず雨が漏れてしまい、ビニールハウスとビニールハウスの間がぬかるんでしまうことがあった。
【０００４】
また、１棟用のビニールハウスを隣り合わせて複数設置するため、組立て難く、ビニールハウス同士の連結が弱かった。
【特許文献１】実開昭５８−１５５９５０号公報
【発明の開示】
【発明が解決しようとする課題】
【０００５】
そこで、本発明は、容易に組み立てることができ、安定し、更に雨水漏れなどが生じることがない連棟用ビニールハウスの枠体を提供することを目的とするものである。
【課題を解決するための手段】
【０００６】
本発明は、上記の課題を解決するために、上部が二股に分かれて左右アーム２ｂ、２ｃを形成した支柱２ａと前記左右アーム２ｂ、２ｃ間の谷間に取り付けられた連結アーム２ｄとからなることを特徴としたＹ字型枠体２及び上部が屈曲した左右支柱３、４と、前記Ｙ字型枠体２の左右アーム２ｂ、２ｃに左右支柱３、４を連結する湾曲パイプ５、６と、前記Ｙ字型枠体２同士を連結する連結パイプ９とからなることを特徴とする連棟用ビニールハウス枠体１の構成とした。
【発明の効果】
【０００７】
本発明の連棟用ビニールハウス枠体は、Ｙ字型の枠体を使用したためビニールハウス間に不要な隙間が発生することがなく、そのため雨水等がビニールハウス間に溜まることがない。
【０００８】
また、組立ての際に使用する部材が少なく容易に組み立てることが可能であり、且つ安定性に優れている。
【発明を実施するための最良の形態】
【０００９】
ビニールハウス間の隙間を無くして雨水の浸入を防ぐことのできる安定した連棟ビニールハウスという目的をＹ字型枠体を使用することによって実現した。
【実施例１】
【００１０】
図１は本発明である連棟用ビニールハウス枠体を使用した連棟ビニールハウスの全体図、図２は本発明である連棟用ビニールハウス枠体の正面図、図３は本発明であるＹ字型枠体の斜視図、図４は本発明であるＹ字型枠体の連結方法を示した斜視図である。
【００１１】
図１及び図２に示すように本発明である連棟用ビニールハウス枠体１はＹ字型枠体２と左右支柱３、４と前記Ｙ字型枠体２と左右支柱３、４を連結する湾曲パイプ５、６と前記Ｙ字型枠体２同士を連結する連結パイプ９とからなる連棟ビニールハウスの部材である。
【００１２】
図１に示すように複数の連棟用ビニールハウス枠体１を平行且つ等間隔に設置し、前記連棟用ビニールハウス枠体１同士を左右第一、第二、第三パイプ１２、１２ａ、１３、１３ａ、１４、１４ａで連結し、前記複数のビニールハウス枠体１をビニール１１で覆い、更にＹ字型枠体２の谷間にあたる部分にビニール１１の上から雨樋１５を設置することで連棟ビニールハウスを組み立てることができる。
【００１３】
図１及び図２に示すように、本発明である連棟用ビニールハウス枠体１は略Ｙ字型のＹ字型枠体２と、上端で屈曲した左右支柱３、４と前記Ｙ字型枠体２と左右支柱３、４を連結する緩やかに湾曲した湾曲パイプ５、６と前記Ｙ字型枠体２同士を連結する連結パイプ９とからなる。
【００１４】
図２及び図３に示すように、本発明である前記Ｙ字型枠体２は上部が二股に分かれて左右アーム２ｂ、２ｃを形成した略Ｙ字型の支柱２ａと前記支柱２ａ上部の二股に分かれた谷間に取り付けられた連結アーム２ｄからなる。前記連結アーム２ｄは、左右アーム２ｂ、２ｃが形成されている支柱２ａに対して直角に設置されている。左右アーム２ｂ、２ｃの内部は中空である。
【００１５】
前記左右支柱３、４はビニールハウスの左右両端に使用する枠体で、上部が屈曲したパイプである。前記支柱２ａの二股に分かれる谷間から下端にかけての長さと支柱３、４の屈曲する位置から下端にかけての長さは同じである。
【００１６】
また、左右支柱３、４の屈曲する位置から上端までの長さと、前記支柱２ａの左右アーム２ｂ、２ｃの長さは同じである。更に、左右支柱３、４の屈曲角度と、前記支柱２ａの左アーム２ｂの屈曲角度、並びに前記支柱２ａと右アーム２ｃの屈曲角度は同じである。
【００１７】
図２に示すように、前記左アーム２ｂの先端と左支柱３の上端を前記湾曲パイプ５で連結し、前記右アーム２ｃの先端と右支柱４の上端を前記湾曲パイプ６で連結することで連棟用ビニールハウス枠体１が完成する。尚、符号７、８は連棟用ビニールハウス枠体１でできる空間を示しており、符号１０はビニールハウスを設置する地面を示している。
【００１８】
図１及び図４に示すように、平行且つ等間隔に配置した複数の連棟用ビニールハウス枠体１同士は、前記連結アーム２ｄ同士を連結パイプ９で連結し、更に左支柱３同士を左第一、第二、第三パイプ１２、１３、１４で連結し、同じく右支柱４同士を右第一、第二、第三パイプ１２ａ、１３ａ、１４ａで連結する。
【００１９】
図５は、本発明である連棟用ビニールハウス枠体を使用した連棟ビニールハウス斜視図である。図５に示すように、前記連棟用ビニールハウス枠体１で使用するＹ字型枠体２を増やすことによって更に大きな連棟ビニールハウスを設置することができる。図５に示した連棟ビニールハウスはＹ字型枠体２を２本使用したものである。
【図面の簡単な説明】
【００２０】
【図１】本発明である連棟用ビニールハウス枠体を使用した連棟ビニールハウスの全体図である。
【図２】本発明である連棟用ビニールハウス枠体の正面図である。
【図３】本発明であるＹ字型枠体の斜視図である。
【図４】本発明であるＹ字型枠体の連結方法を示した斜視図である。
【図５】本発明である連棟用ビニールハウス枠体を使用した連棟ビニールハウス斜視図である。
【符号の説明】
【００２１】
１      連棟用ビニールハウス枠体
２      Ｙ字型枠体
２ａ    支柱
２ｂ    左アーム
２ｃ    右アーム
２ｄ    連結アーム
３      左支柱
４      右支柱
５      湾曲パイプ
６      湾曲パイプ
７      空間
８      空間
９      連結パイプ
１０      地面
１１      ビニール
１２      左第一パイプ
１２ａ    右第一パイプ
１３      左第二パイプ
１３ａ    右第二パイプ
１４      左第三パイプ
１４ａ    右第三パイプ
１５      雨樋
【図１】
2007060941.tif 000003
【図２】
2007060941.tif 000004
【図３】
2007060941.tif 000005
【図４】
2007060941.tif 000006
【図５】
2007060941.tif 000007